(57)【要約】【課題】確実に廃鍼数を計数し、収納器の洗浄・消毒・滅菌処理を可能にし、抜鍼位置からテーブル台までの不必要な移動をなくし、抜鍼した鍼灸針を手に保持した状態で抜鍼を繰り返す作業をなくす鍼灸針収納容器を提供する。【解決手段】着脱可能なカウンタ２００を装備して収納器１００の洗浄・消毒・滅菌処理を可能にする。駆動体１５０を開閉駆動して鍼灸針収納部１１０に鍼灸針２０を１本ずつ収納する。この時、駆動体１５０に連動したレバー２１０が回転してカウンタ２００が確実に鍼灸針２０を計数する。また留め具１７０をベルト３０に接続して身体に携帯することで廃鍼時の不必要な移動をなくし、抜鍼した鍼灸針２０を手に保持することなく抜鍼作業を繰り返すことができる。【選択図】図１
2010179070.tif 000002
【特許請求の範囲】
【請求項１】
鍼灸針２０を計数するカウンタ２００、及び、
該鍼灸針２０を収納する鍼灸針収納部１１０と、該カウンタ２００を収納するカウンタ収納部１２０と、前記鍼灸針収納部１１０から前記カウンタ２００を遮断する遮断板１３０と、前記鍼灸針２０の収納を検出し前記カウンタ２００を駆動する駆動体１５０からなる収納器１００とを有する鍼灸針収納容器であって、
前記カウンタ収納部１２０から前記カウンタ２００を着脱可能とすることにより、該カウンタ２００を取り外した状態で前記収納器１００の洗浄、殺菌、及び滅菌処理を可能にしたことを特徴とする鍼灸針収納容器。
【請求項２】
前記駆動体１５０は、前記カウンタ２００を駆動して前記鍼灸針収納部１１０に前記鍼灸針２０を収納することで、レバー２１０を作動させて前記カウンタ２００が計数する構造を有することを特徴とする請求項１に記載の鍼灸針収納容器。
【請求項３】
前記収納器１００に留め具１７０を装備して身体に携帯する構造を有することを特徴とする請求項１または請求項２に記載の鍼灸針収納容器。
【発明の詳細な説明】
【技術分野】
【０００１】本発明は、カウンタを駆動し鍼灸針を計数して収納する方法・構造と、鍼灸針及び鍼灸針を収納する部分や外部のものからカウンタを遮断して装備する構造と、カウンタを容易に着脱する構造と、容器を携帯する構造の技術に関するものである。
【背景技術】
【０００２】一般的に鍼治療の抜鍼（患部から鍼灸針を抜くこと）方法は、テーブル台の鍼皿に抜鍼した鍼灸針を入れるもので、以下の通りである。但し、鍼皿は洗浄・消毒・滅菌処理が可能なものとする。【０００３】テーブル台に鍼皿・消毒液・消毒綿・処理箱・鍼廃棄箱を用意する。
消毒液で手指と鍼皿を消毒する。
消毒綿を取り、患部に消毒綿を当てて抜鍼する。
抜鍼した鍼灸針を鍼皿に入れて廃鍼（使用済みの鍼灸針を廃棄すること）する。
同様に患部の鍼灸針がなくなるまで抜鍼作業を繰り返し、全て廃鍼する。
廃鍼した鍼灸針を数えて確認する。
消毒綿を処理箱に入れる。
廃鍼した鍼灸針を鍼廃棄箱に廃棄する。
消毒液で手指と鍼皿を消毒する。【０００４】このように一般的な鍼治療の抜鍼方法は、鍼皿を使用し、廃鍼した鍼灸針を人が数えて確認するため数え間違えによる抜き忘れ事故が起こることがあり、安全に対して問題があった。
また、テーブル台の鍼皿から必要な治療用具を取り出す又は戻す作業を行うため、抜鍼位置からテーブル台まで移動する必要があり、作業効率が悪かった。
更に、移動を減らすため抜鍼した鍼灸針を手に保持した状態で抜鍼作業を繰り返す場合、抜鍼した鍼灸針による汚染・感染及び鍼刺し事故が起こることがあり、衛生的で安全には行われていなかった。【０００５】以下に特許文献による従来技術に関して述べる。【０００６】例えば、特開２００１−２２４６０３や特開２００３−１２６０９７では、容器に番号を付け、使用後の手術用縫合針を番号順に番号に合わせて入れるが、容器に入れるだけで正確に計数する構造にない。【０００７】次に、特開２００５−０１３６０８では、縫合針を取り出したパッケージに取り出した数だけ戻しているが、容器に入れるだけで正確に計数する構造にない。【０００８】また、特開２００１−２５２４８１では、玩具本体とコイン収納部は着脱可能であるが、玩具本体には記憶部・表示部・コイン投入口があり、コイン収納部だけ洗浄・消毒・滅菌処理しても玩具本体の衛生面が保持できず、玩具本体及びコインが通過する部分を洗浄・消毒・滅菌処理する構造にない。【０００９】鍼皿に変わる容器を身体に携帯した場合、移動による作業性、汚染・感染及び鍼刺し事故に対する衛生・安全性は改善されるが、廃鍼数を数えることが困難である。
そのため異なる鍼皿に廃鍼した鍼灸針を移し変えて廃鍼数を数えると、新たな作業と廃鍼数確認時の汚染・感染・数え間違え・鍼刺し事故が起こる可能性がある。【００１０】カウンタを装備した容器を身体に携帯した場合、移動による作業性、汚染・感染・鍼刺し事故に対する衛生・安全性、廃鍼数の数え間違えによる抜き忘れ事故は改善されるが、カウンタを装着していることで容器の洗浄・消毒・滅菌処理ができない。【００１１】以上より、抜き忘れを防止する安全性、移動による作業性、汚染・感染及び鍼刺し事故に対する衛生・安全性において、従来技術では問題があり、抜鍼した鍼灸針を収納する容器としては不十分であることが分かる。
【特許文献１】特開２００１−２２４６０３
【特許文献２】特開２００３−１２６０９７
【特許文献３】特開２００５−０１３６０８
【特許文献４】特開２００１−２５２４８１
【発明の開示】
【発明が解決しようとする課題】
【００１２】本発明が解決しようとする課題及び目的を以下に示す。
カウンタを装備して確実に廃鍼数を計数し抜き忘れを防止すること、カウンタを着脱可能にして容器の洗浄・消毒・滅菌処理ができること、抜鍼位置からテーブル台までの不必要な移動をなくし作業効率を良くすること、抜鍼した鍼灸針を手に保持した状態で繰り返し抜鍼する作業をなくし汚染・感染及び鍼刺し事故を防止することである。
【課題を解決するための手段】
【００１３】鍼灸針２０を計数するカウンタ２００、及び、
該鍼灸針２０を収納する鍼灸針収納部１１０と、該カウンタ２００を収納するカウンタ収納部１２０と、前記鍼灸針収納部１１０から前記カウンタ２００を遮断する遮断板１３０と、前記鍼灸針２０の収納を検出し前記カウンタ２００を駆動する駆動体１５０からなる収納器１００とを有する鍼灸針収納容器であって、
前記カウンタ収納部１２０から前記カウンタ２００を着脱可能とすることにより、該カウンタ２００を取り外した状態で前記収納器１００の洗浄、殺菌、及び滅菌処理を可能にした。
また、前記駆動体１５０は、前記カウンタ２００を駆動して前記鍼灸針収納部１１０に前記鍼灸針２０を収納することで、レバー２１０を作動させて前記カウンタ２００が計数する構造とした。
更に、前記収納器１００に留め具１７０を装備して身体に携帯する構造とした。
【発明の効果】
【００１４】以下に本発明の効果を示す。
カウンタを駆動して鍼灸針収納部に抜鍼した鍼灸針を１本ずつ収納することで、カウンタが確実に廃鍼数を計数し、抜き忘れを防止することができる。
カウンタを着脱して収納器の洗浄・消毒・滅菌処理することができる。
身体に携帯して抜鍼位置からテーブル台までの不必要な移動をなくし、作業効率を良くすることができる。
身体に携帯して抜鍼した鍼灸針を収納し抜鍼作業を繰り返すことで、汚染・感染及び鍼刺し事故を防止することができる。
【発明を実施するための最良の形態】
【００１５】以下に、本発明の好適な実施例を図面に基づいて説明する。
【実施例】
【００１６】まず、本発明の詳細構造を説明する。
図１から２より、鍼灸針収納容器１０は収納器１００とカウンタ２００からなる。
収納器１００は鍼灸針２０を収納する鍼灸針収納部１１０と、カウンタ２００を収納するカウンタ収納部１２０と、カウンタ２００を遮断する遮断板１３０と、カウンタ収納部１２０に収納したカウンタ２００を保持及び固定かつ着脱可能にする固定具１４０と、鍼灸針２０の収納を検出しカウンタ２００を駆動する駆動体１５０と、駆動体１５０を収納器１００内部に留める駆動体止め１６０と、ベルト３０に接続して身体に携帯する留め具１７０を装備する。
カウンタ収納部１２０はカウンタ２００をカウンタ着脱口１２１から出し入れし、固定具１４０で保持及び固定する。
断板１３０はカウンタ２００を鍼灸針２０及び鍼灸針収納部１１０や外部のものから遮断し、カウンタ２００が他と接触することを防止する。
固定具１４０はカウンタ２００の移動を封じ、固定具バネ軸１４１を中心軸にバネの力で台２４０を押え込み保持及び固定する。カウンタ２００を取り出す場合は、カウンタ着脱口１２１外側にカウンタ２００を引き出す。【００１７】駆動体１５０は検出部１５１を駆動体止め１６０の位置から手などで鍼灸針収納部１１０内部へ押し込むことで駆動体バネ軸１５３を中心軸に回転し、鍼灸針収納部１１０を開口する。この検出部１５１の駆動に接合部１５２が連動し、接合部１５２がレバー２１０に接触しかつレバー２１０を回転する。鍼灸針収納部１１０を閉口する場合は、駆動体１５０の検出部１５１から手を放すと駆動体バネ軸１５３のバネの力で検出部１５１が元の駆動体止め１６０の位置に戻ることで閉口する。
留め具１７０は収納器１００外部に装備し、ベルト３０上部から挿入し、収納器１００背面を身体側に位置して保持及び固定する。身体とベルト３０の間に挿入し、挟み込みの圧迫力を利用して安定性を構築する。留め具１７０先端部はベルト３０を引っ掛ける爪で不用意に外れない。鍼灸針収納部１１０を開口する際、検出部１５１の回転力が収納器１００背面側に伝達するが、収納器１００背面を身体側に配置し検出部１５１の回転力を身体で受け止めることで、安定した開口ができる。【００１８】カウンタ２００は計数するレバー２１０と、計数値を表示する表示部２２０と、表示を初期値に戻すリセット２３０と、保持及び固定する台２４０からなる。
レバー２１０はレバーバネ軸２１１を中心軸に可動域終点まで回転すると計数し、表示部２２０の表示値を１つ更新する。またレバーバネ軸２１１のバネの力で元の位置に戻る。
リセット２３０は鍼灸針２０を初期値から計数するときなどに、ダイヤルを回して初期値に合わせる。
台２４０はカウンタ収納部１２０からカウンタ２００が移動しないよう収納器１００底面側へ固定具１４０で押え込み、保持及び固定する。【００１９】図３より、鍼灸針２０を収納して計数する方法を説明する。
鍼灸針２０を持った手などで検出部１５１を駆動体止め１６０の位置から鍼灸針収納部１１０内部へ可動域終点まで押し込み、駆動体１５０が鍼灸針収納部１１０を開口する。
手に持った鍼灸針２０を放し、鍼灸針収納部１１０に収納する。
この時、検出部１５１の駆動に接合部１５２が連動し、接合部１５２がレバー２１０に接触して回転する。検出部１５１が可動域終点まで回転することでレバー２１０も同様に可動域終点まで回転し、表示部２２０の表示値を１つ更新する。
検出部１５１から手を放すと、検出部１５１が元の駆動体止め１６０の位置に戻り、駆動体１５０が鍼灸針収納部１１０を閉口する。
検出部１５１に連動し、接合部１５２とレバー２１０も元の位置に戻る。【００２０】図４より、鍼灸針２０を鍼灸針収納部１１０に収納する場合は、鍼灸針２０の長軸方向が駆動体バネ軸１５３と同方向となる。
カウンタ２００はカウンタ収納部１２０側面からスライドして出し入れする。カウンタ収納部１２０底面は、平坦で容易に着脱できる。着脱方向がレバー２１０の回転方向と垂直なので、レバー２１０の動作で不用意に動かない。
またカウンタ収納部１２０背面からの着脱も可能である。この場合着脱方向がレバー２１０の回転方向と同方向なので、レバー２１０の回転によりカウンタ２００がカウンタ収納部１２０背面側に移動しないよう台２４０を押える段差などのストッパーを設けることで不用意に動かない。【００２１】鍼灸針収納部１１０に収納した鍼灸針２０を取り出す場合、鍼灸針２０に不用意に触れると汚染・感染及び針刺し事故などを起こす危険性があるため、鍼灸針２０を非接触で取り出す必要がある。
接合部１５２を手などでカウンタ収納部１２０内部へ押し込むことで検出部１５１が連動し、駆動体１５０が鍼灸針収納部１１０を開口する。
この時、駆動体止め１６０が下になるよう鍼灸針収納容器１０を傾斜し、重力を利用して鍼灸針収納部１１０から鍼灸針２０を落下させて取り出す。【００２２】図５より、鍼灸針収納部１１０に鍼灸針取出口１１１及び鍼灸針取出箱１１２と、開閉体１８０を装備した据置型の鍼灸針収納容器１０の特徴を説明する。
鍼灸針収納容器１０を据置きで使用する場合、図１のような駆動体１５０を回転して鍼灸針収納部１１０を開口すると、駆動体１５０の回転力が鍼灸針収納部１１０背面に伝達し、鍼灸針収納容器１０が背面側に移動または転倒する。
そこで鍼灸針収納容器１０が安定した状態で鍼灸針収納部１１０への開口及び閉口するために、駆動体１５０と対の位置に開閉体１８０を装備する。駆動体１５０と開閉体１８０を同時に開閉駆動することで回転力が鍼灸針収納部１１０底面に伝達し、鍼灸針収納容器１０は安定した静止状態を保持して鍼灸針収納部１１０に鍼灸針２０を収納する。【００２３】据置型の鍼灸針収納容器１０で鍼灸針２０を収納して計数する方法を説明する。
鍼灸針２０を持った手で、検出部１５１と開閉体１８０を同時に駆動体止め１６０の位置から鍼灸針収納部１１０内部へ押し込む。
検出部１５１と開閉体１８０を可動域終点まで回転して鍼灸針収納部１１０を開口し、鍼灸針２０を放して鍼灸針収納部１１０内部の鍼灸針取出箱１１２に収納する。
検出部１５１の駆動に接合部１５２が連動し、接合部１５２がレバー２１０に接触して回転する。検出部１５１が可動域終点まで回転することでレバー２１０も同様に可動域終点まで回転し、表示部２２０の表示値が１つ更新する。
検出部１５１と開閉体１８０から手を放す。検出部１５１と開閉体１８０が元の駆動体止め１６０の位置に戻り、鍼灸針収納部１１０が閉口する。
検出部１５１に連動して接合部１５２も元の位置に戻り、レバー２１０も同様に元の位置に戻る。【００２４】鍼灸針収納部１１０に収納した鍼灸針２０を取り出す場合、同様に非接触で取り出す必要がある。
鍼灸針２０は鍼灸針取出口１１１から鍼灸針取出箱１１２を取り出して廃棄する。
廃棄後は鍼灸針取出箱１１２を鍼灸針取出口１１１から挿入し元に戻す。
鍼灸針取出箱１１２を設けない場合は鍼灸針取出口１１１を上部に設け、鍼灸針収納容器１０を傾斜して鍼灸針２０を落下させて取り出す。【００２５】次に、使用例を説明する。
テーブル台に鍼灸針収納容器１０・消毒液・消毒綿・処理箱・鍼廃棄箱を用意する。
消毒液で収納器１００を消毒する。
収納器１００にカウンタ２００を装着し、鍼灸針収納容器１０を組立てる。
表示部２２０を初期値に設定する。
鍼灸針収納容器１０を身体に携帯する。
消毒液で手指を消毒する。
消毒綿を取り、患部に消毒綿を当てて抜鍼する。
鍼灸針収納容器１０に抜鍼した鍼灸針２０を収納し廃鍼する。この時、カウンタ２００が鍼灸針２０を計数する。
同様に患部の鍼灸針２０がなくなるまで抜鍼作業を繰り返し、全て廃鍼する。
表示部２２０の表示値を見て廃鍼数を確認する。
消毒綿を処理箱に入れる。
鍼灸針収納容器１０を外し、廃鍼した鍼灸針を鍼廃棄箱に廃棄する。
鍼灸針収納容器１０を洗浄・滅菌処理し、消毒液で手指を消毒する。【００２６】続いて、鍼灸針収納容器１０の各部品の変形実施例を説明する。
鍼灸針収納容器１０は金属や耐熱性樹脂・抗菌樹脂は勿論、紙や木材・樹脂・使い捨てとなる材質でもよい。
カウンタ着脱口１２１は鍼灸針収納容器１０側面以外に設けてもよい。
駆動体１５０や開閉体１８０を開口する場合、手による方法だけでなく、手以外の身体部分及び付属物、鍼灸針２０、道具などであってもよい。
接合部１５２とレバー２１０の接続は、接合部１５２が非接触状態からレバー２１０に接触して動作させることは勿論、常時接触状態、紐やバネなどによる接続器を用いてもよい。
留め具１７０はベルト３０に接続するだけでなく、衣類、身体に直接装着してもよい。接続構造はフック、粘着、磁力など接続可能であればよい。【００２７】カウンタ２００は駆動体１５０に連動して計数することは勿論、駆動体１５０以外の鍼灸針２０、手などの付属物をセンサで捕らえて計数してもよい。計数構造は、機械式は勿論、電気式でもよい。
表示部２２０は計数数を視覚で確認できるように数字・マーク・色・光などで表示することは勿論、聴覚で確認できるように音・音声などで知らせる構造、触覚で確認できるように振動・刺激などで知らせる構造であってもよい。
レバー２１０は、回転式レバーは勿論、スイッチ・センサなどであってもよい。
リセット２３０は表示を初期値にするのは勿論、任意表示にセットしてもよい。【００２８】鍼灸針収納容器１０に小物入れを装備してもよい。小物入れは鍼灸針２０・鍼パック・鍼管・鍼止め具・消毒綿などの鍼用具、もぐさ・線香などの灸用具は勿論、治療で使用するもの全般に収納できるものとする。
【産業上の利用可能性】
【００２９】以上の説明では主として本発明者によってなされた発明を、その背景となった利用分野である医師及び鍼灸師による鍼灸治療で使用する鍼灸針２０に適用した場合について述べたが、この発明はそれに限定されるものではなく、収納物は鍼灸針２０のような固体で硬質なものは勿論、棒状のもの、軟質のもの、鍼灸針２０がパックや袋や箱などに入った状態のもの、その他の鍼や灸に関するもの、また鍼灸用具に限らず収納できるもの全般に利用することができる。
【図面の簡単な説明】
【００３０】
【図１】明解な鍼灸針収納容器の概略斜視図である。
【図２】カウンタ着脱形式を表示した鍼灸針収納容器の概略斜視図である。
【図３】駆動体とレバーの動作を表示した鍼灸針収納容器の概略側面図である。
【図４】鍼灸針収納とベルト接続を表示した鍼灸針収納容器の概略上面図である。
【図５】鍼灸針収納容器の変形例の概略斜視図である。
【符号の説明】
【００３１】１０・・・鍼灸針収納容器
１００・・・収納器
１１０・・・鍼灸針収納部
１１１・・・鍼灸針取出口
１１２・・・鍼灸針取出箱
１２０・・・カウンタ収納部
１２１・・・カウンタ着脱口
１３０・・・遮断板
１４０・・・固定具
１４１・・・固定具バネ軸
１５０・・・駆動体
１５１・・・検出部
１５２・・・接合部
１５３・・・駆動体バネ軸
１６０・・・駆動体止め
１７０・・・留め具
１８０・・・開閉体
２００・・・カウンタ
２１０・・・レバー
２１１・・・レバーバネ軸
２２０・・・表示部
２３０・・・リセット
２４０・・・台
２０・・・鍼灸針
３０・・・ベルト
【図１】
2010179070.tif 000003
【図２】
2010179070.tif 000004
【図３】
2010179070.tif 000005
【図４】
2010179070.tif 000006
【図５】
2010179070.tif 000007